(57)【要約】      （修正有）【課題】ゲーム機に使用されるジョイスティックモジュールを提供する。【解決手段】ジョイスティックモジュール１００は、台座と、レバー２と、バネモジュール３と、受台４と、作動モジュール６と、磁界感知モジュール７と、を備える。レバー２は台座に内設される第一感知部２２及び第二感知部２３を含む。バネモジュール３は台座に内設され、レバー２はバネモジュール３内に覆設される。受台４は台座に内設され、レバー２が貫通する受台スライド部を有する。作動モジュール６は受台の一側に設置され、レバー２は作動モジュール６を貫通する。磁界感知モジュール７は受台４の他側に設置され、第一感知部２２はレバー２の位置に基づいて作動モジュール６を起動させ、且つ第二感知部２３はレバー２の位置の変化に基づいて磁界感知モジュール７を起動させる。【選択図】図３
0003220809.tif 000002
【実用新案登録請求の範囲】
【請求項１】
台座と、
前記台座に設置され、前記台座に内設される第一感知部及び第二感知部を含むレバーと、
前記台座に内設され、前記レバーが内部に覆設されるバネモジュールと、
前記台座に内設されると共に前記レバーが貫通する受台スライド部を有する受台と、
前記受台の一側に設置され、前記レバーが貫通する作動モジュールと、
前記受台の他側に設置される磁界感知モジュールと、を備え、
前記第一感知部は前記レバーの位置に基づいて前記作動モジュールを起動させ、且つ前記第二感知部は前記レバーの位置の変化に基づいて前記磁界感知モジュールを起動させることを特徴とするジョイスティックモジュール。
【請求項２】
前記台座は上筐体及び下筐体を備え、前記上筐体及び前記下筐体のそれぞれは複数の係止機構を含み、且つ前記受台は複数の係合孔を具備し、前記各係止機構は前記各係合孔に着脱可能に固定されることを特徴とする請求項１に記載のジョイスティックモジュール。
【請求項３】
前記作動モジュールは、複数のマイクロスイッチと、受け部と、第一回路基板と、を備え、前記各マイクロスイッチは前記受け部に設置されると共に前記第一回路基板に電気的に接続され、前記受け部は前記受台に設置されることを特徴とする請求項２に記載のジョイスティックモジュール。
【請求項４】
前記第一回路基板は複数の貫通孔を備え、前記上筐体は複数のネジ柱を含み、前記第一回路基板及び前記上筐体はネジが前記貫通孔を貫通することにより前記ネジ柱内にロックされることを特徴とする請求項３に記載のジョイスティックモジュール。
【請求項５】
前記磁界感知モジュールはホール感知チップを有する第二回路基板及びカバーを備え、前記カバーは前記第二回路基板を搭載可能であると共に前記下筐体に固定されることを特徴とする請求項２に記載のジョイスティックモジュール。
【請求項６】
前記バネモジュールは、バネと、バネ受けと、バネカバーと、を備え、前記レバーは前記バネ受け及び前記バネカバーを貫通し、前記バネは前記レバーを覆設し、その上端は前記バネカバーに当接され、その下端は前記バネ受けに当接されることを特徴とする請求項１に記載のジョイスティックモジュール。
【請求項７】
前記レバーを覆設し、且つ前記受台の前記受台スライド部の形状に対応する転動架台を更に備え、前記転動架台は前記レバーの移動に基づいて前記受台スライド部上で摺動することを特徴とする請求項１に記載のジョイスティックモジュール。
【請求項８】
前記第一感知部は環状バンプであることを特徴とする請求項１に記載のジョイスティックモジュール。
【請求項９】
前記第二感知部は、磁性体と、磁性台と、固定部材と、を備え、前記磁性体は前記磁性台内に装設され、前記磁性台は前記固定部材により前記レバーの孔部に固定されることを特徴とする請求項１に記載のジョイスティックモジュール。
【請求項１０】
前記作動モジュール及び前記磁界感知モジュールに電気的に接続される主回路モジュールを更に備え、前記主回路モジュールは前記作動モジュールまたは前記磁界感知モジュールを選択的に制御起動させる又は同時に起動させることを特徴とする請求項１に記載のジョイスティックモジュール。
【考案の詳細な説明】
【技術分野】
【０００１】
本考案は、ジョイスティックモジュールに関し、更に詳しくは、ゲーム機に使用されるジョイスティックモジュールに関する。
【背景技術】
【０００２】
従来の市販のジョイスティックモジュールの操作方式は２種類に大別される。１つは８方向に限定した操作が可能なジョイスティックモジュールであり、もう１つは無段階式で３６０度操作が可能なジョイスティックモジュールである。通常、ゲームのタイプの違いに合わせて両者の操作方法が応用される。８方向のジョイスティックモジュールはアーケードゲームに使用されることが多く、３６０度無段階式のジョイスティックモジュールはフライトシミュレーションゲームに使用されることが多い。ゲーマーはゲームの種類に応じて対応する操作方式のゲーム用ジョイスティックを購入しなければならない。
【考案の概要】
【考案が解決しようとする課題】
【０００３】
ジョイスティックモジュールは異なる種類のゲームにも使用可能であるが、ゲームの反応精度が低下してゲーマーのパフォーマンスに影響を及んだことがある。また、ｅスポーツの需要が高まるに連れ、ゲームのプレイ方法も多様化し、従来の単一の操作方式ではゲーマーの需要を満たせなくなっている。
従来の技術に基づくと、ゲーマーがゲームをプレイする場合、ゲームのタイプに合わせて特定のジョイスティックモジュールを使用している。このため、ゲーマーは通常２組の異なる操作方式のジョイスティックモジュールを購入して交換しながら使っている。
本考案は、このような従来の問題に鑑みてなされたものであり、その目的は、ジョイスティックモジュールを提供することにある。即ち、８方向の操作方式及び３６０度無段階式の操作方式を兼ね備えるジョイスティックモジュールを提供する。
【課題を解決するための手段】
【０００４】
上記課題を解決する本考案は、
台座と、
前記台座に設置され、前記台座に内設される第一感知部及び第二感知部を含むレバーと、
前記台座に内設され、前記レバーが内部に覆設されるバネモジュールと、
前記台座に内設されると共に前記レバーが貫通する受台スライド部を有する受台と、
前記受台の一側に設置され、前記レバーが貫通する作動モジュールと、
前記受台の他側に設置される磁界感知モジュールと、を備え、
前記第一感知部は前記レバーの位置に基づいて前記作動モジュールを起動させ、且つ前記第二感知部は前記レバーの位置の変化に基づいて前記磁界感知モジュールを起動させることを特徴とするジョイスティックモジュール。
【０００５】
好ましくは、前記台座は上筐体及び下筐体を備える。前記上筐体及び下筐体のそれぞれは複数の係止機構を含み、且つ前記受台は複数の係合孔を具備する。前記各係止機構は前記各係合孔に着脱可能に固定される。
【０００６】
好ましくは、前記作動モジュールは、複数のマイクロスイッチと、受け部と、第一回路基板と、を備える。前記各マイクロスイッチは前記受け部に設置されると共に前記第一回路基板に電気的に接続され、前記受け部は前記受台に設置される。
【０００７】
好ましくは、前記第一回路基板は複数の貫通孔を備え、前記上筐体は複数のネジ柱を含み、前記第一回路基板及び前記上筐体はネジが前記貫通孔を貫通することにより前記ネジ柱内にロックされる。
【０００８】
好ましくは、前記磁界感知モジュールはホール感知チップを有する第二回路基板及びカバーを備える。前記カバーは前記第二回路基板を搭載可能であると共に前記下筐体に固定される。
【０００９】
好ましくは、前記バネモジュールは、バネと、バネ受けと、バネカバーと、を備える。前記レバーは前記バネ受け及び前記バネカバーを貫通し、前記バネは前記レバーを覆設し、その上端は前記バネカバーに当接され、その下端は前記バネ受けに当接される。
【００１０】
好ましくは、前記レバーを覆設し、且つ前記受台の前記受台スライド部の形状に対応する転動架台を更に備える。前記転動架台は前記レバーの移動に基づいて前記受台スライド部上で摺動する。
【００１１】
好ましくは、前記第一感知部は環状バンプである。
【００１２】
好ましくは、前記第二感知部は、磁性体と、磁性台と、固定部材と、を備える。前記磁性体は前記磁性台内に装設され、磁性台は固定部材により前記レバーの孔部に固定される。
【００１３】
好ましくは、前記作動モジュール及び前記磁界感知モジュールに電気的に接続される主回路モジュールを更に備え、前記主回路モジュールは前記作動モジュールまたは前記磁界感知モジュールを選択的に制御起動させる又は同時に起動させる。
【考案の効果】
【００１４】
以上を総合すると、本考案のジョイスティックモジュールは、前記作動モジュール及び前記磁界感知モジュールの構造が結合されることから、各種のゲームの操作に適用される。また、本考案は全体的な構造が簡単であり、反応が早く、市場における高い潜在的需要がある。
【図面の簡単な説明】
【００１５】
【図１】本考案の一実施形態によるジョイスティックモジュールを示す外観斜視図である。
【図２】図１に示すＡ−Ａ線に沿う断面図であり、ジョイスティックモジュールが未起動状態である。
【図３】図１に示すＡ−Ａ線に沿う断面図であり、ジョイスティックモジュールが起動状態である。
【図４】図１に示すジョイスティックモジュールを示す分解図である。
【図５】本考案の一実施形態によるジョイスティックモジュールの主回路モジュール制御フローチャートである。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１７】
次に、図１〜５を参照しながら、本考案をさらに詳しく説明する。本考案のジョイスティックモジュール１００は、台座１と、レバー２と、バネモジュール３と、受台４と、転動架台５と、作動モジュール６と、磁界感知モジュール７と、主回路モジュール８と、を備える。
【００１８】
前記台座１は上筐体１１及び下筐体１２を備える。前記上筐体１１は上面の中心部に設置される孔部１１２を有し、前記上筐体１１の側面のそれぞれには下向きに延伸される第一係止機構１１１及び前記上筐体１１に内設される複数のネジ柱１１３が設置される。前記下筐体１２の側面のそれぞれには上向きに延伸される第二係止機構１２１及び前記下筐体１２の表面に設置される２つの係止孔１２２が設置される。前記第一係止機構１１１及び前記第二係止機構１２１は前記受台４の複数の係合孔４２に対応して係合される。前記上筐体１１と前記受台４との間には前記バネモジュール３、前記転動架台５、及び前記作動モジュール６を設置するための空間として収容空間が形成される。前記下筐体１２と前記受台４との間には前記磁界感知モジュール７の作動空間として他の収容空間が形成される。
【００１９】
前記レバー２は棒状を呈し、操作部２ａ及びベース２ｂを備える。前記操作部２ａは前記台座１の上面から突出されると共に上端が握り部２１に連結されてゲーマーの操作のために使用される。前記握り部２１と前記レバー２との間はネジ山構造により固定される。前記ベース２ｂは前記操作部２ａから下向きに延伸されると共に前記台座１内に収容される。前記ベース２ｂは第一感知部２２及び第二感知部２３を含み、前記第一感知部２２は環状バンプに形成されると共に前記ベース２ｂの中段位置に設置される。
【００２０】
また、前記第二感知部２３は前記レバー２の底端に設置され、磁性体２３１と、磁性台２３２と、固定部材２３３と、を備える。前記磁性台２３２は磁性物質で構成され、前記磁性台２３２にはネジ穴が開設されると共に前記磁性台２３２が前記レバー２の底端から上向きに覆設され、且つ前記磁性台２３２のネジ穴の位置を前記レバー２の底端の孔部２４の位置に対応させる。前記磁性台２３２は固定部材２３３により前記レバー２の前記孔部２４に固定され、前記磁性体２３１は前記磁性台２３２の内部に磁力により吸着されると共に前記レバー２の底部に位置する。
【００２１】
ガスケット２５は前記レバー２を覆設すると共に前記上筐体１１の前記孔部１１２の位置に設置され、前記ガスケット２５は孔部１１２の隙間を塞ぐために用いられる。
【００２２】
前記バネモジュール３は前記台座１に内設され、前記バネモジュール３はバネ３１と、バネカバー３２と、バネ受け３３と、を備える。前記バネ３１は前記レバー２の前記ベース２ｂの位置を覆設し、その一端は前記バネカバー３２に当接され、他端はバネ受け３３に当接される。前記バネカバー３２及び前記バネ受け３３は共に前記レバー２を通過させるための孔部を有し、前記バネカバー３２は中空円盤状を呈し、その一端は前記レバー２を覆設するＥ型止め輪２６の下方に当接され、他端は前記バネ３１により支持される。前記バネ受け３３は前記第一感知部２２に設置され、前記バネ３１を安定的に止める空間を提供する。
【００２３】
前記受台４は、受台スライド部４１と、前記受台スライド部４１の周囲に設置される複数の係合孔４２及び複数の固定孔４３と、を備える。前記受台スライド部４１は凹円状を呈すると共に前記受台４の中心位置に設置され、且つ前記受台スライド部４１の中心部には前記レバー２を通過させるための開口部を有する。前記係合孔４２は前記上筐体１１及び前記下筐体１２を装設するための位置とされ、前記第一係止機構１１１及び前記第二係止機構１２１の位置にそれぞれ対応する。前記複数の固定孔４３は前記作動モジュール６を固定するための位置とされる。
【００２４】
前記転動架台５は前記レバー２の前記第一感知部２２と前記第二感知部２３との間に覆設され、前記転動架台５は支持部５１及び前記支持部５１から下向きに延伸される転動架台スライド部５２を備える。前記支持部５１は円柱状を呈し、前記支持部５１の上部は前記第一感知部２２の下端位置に当接される。前記転動架台スライド部５２は円錐状に類似し、前記転動架台スライド部５２の底部は前記磁性台２３２の上端位置に当接される。
【００２５】
前記作動モジュール６は前記台座１に内設され、前記作動モジュール６は複数のマイクロスイッチ６１と、受け部６２と、第一回路基板６３と、を備える。本実施形態において、前記作動モジュール６は４つの前記マイクロスイッチ６１を含み、前記各マイクロスイッチ６１は２つの位置決め孔６１１を有する。前記受け部６２の上表面には複数の位置決め柱６２１及び複数のネジ柱６２２を具備し、下表面には複数の固定柱６２３を具備する。前記各マイクロスイッチ６１の前記位置決め孔６１１は前記位置決め柱６２１を覆設し、前記固定柱６２３は前記固定孔４３の位置に装設される。前記第一回路基板６３は前記各マイクロスイッチ６１に電気的に接続されると共に前記受け部６２に対する他側に設置される。前記第一回路基板６３は複数の貫通孔６３１を備え、一部の前記貫通孔６３１の位置は前記上筐体１１の内部の前記ネジ柱１１３の位置に対応し、残りの前記貫通孔６３１は前記受け部６２の前記ネジ柱６２２の位置に対応する。前記貫通孔６３１と前記ネジ柱１１３との間及び前記貫通孔６３１と前記ネジ柱６２２との間は何れも前記ネジ６３２により螺合される。前記第一回路基板６３は前記主回路モジュール８に電気的に接続され、前記主回路モジュール８により前記第一回路基板６３の起動及び終了が制御される。
【００２６】
前記磁界感知モジュール７は前記台座１の底部の外表面に設置され、前記磁界感知モジュール７は第二回路基板７１及びカバー７２を備える。前記第二回路基板７１には磁場の変化を感知するホール感知チップが設置され、前記第二回路基板７１は前記カバー７２内に装設される。前記カバー７２の両側には係止部７２１がそれぞれ設けられ、前記係止部７２１は前記下筐体１２の前記係止孔１２２の位置に着脱可能に係止され、前記磁界感知モジュール７が前記台座１の底部に固定される。前記第二回路基板７１は前記主回路モジュール８に電気的に接続され、前記主回路モジュール８により前記第二回路基板７１の起動及び終了が制御される。
【００２７】
なお、本実施形態において、前記第一回路基板６３及び前記第二回路基板７１は前記主回路モジュール８に電気的に接続され、前記主回路モジュール８は前記作動モジュール６または前記磁界感知モジュール７を選択的に制御起動させる又は同時に起動させる（図５参照）。
【００２８】
一般的に未起動の場合、前記ジョイスティックモジュール１００の前記レバー２は中立状態となり、前記第一感知部２２は前記作動モジュール６の前記マイクロスイッチ６１をトリガーせず、且つ前記第二感知部２３も磁場の変化を発生しない。
【００２９】
さらに、ゲーマーが前記レバー２を操作する際に、前記転動架台５の前記転動架台スライド部５２が前記レバー２の移動に基づいて前記受台スライド部４１上で摺動する。前記作動モジュール６の操作モードにおいて、ゲーマーが４方向（上、下、左、右）の命令を出すと、前記第一感知部２２が１つの前記マイクロスイッチ６１をトリガーする。ゲーマーが８方向のうちの斜め方向（右上、右下、左上、左下）の命令を出すと、前記第一感知部２２が２つの前記マイクロスイッチ６１を同時にトリガーする。前記磁界感知モジュール７の操作モードにおいて、前記第二感知部２３はレバー２の位置の違いに基づいて磁場の変化を発生させ、前記第二回路基板７１のホール感知器により磁場の変化を感知して出力電圧の変化に変換される。
【００３０】
ゲーマーが前記ジョイスティックモジュール１００を使用する場合、前記主回路モジュール８によりゲームのタイプに応じてどの操作方式を使用するかが決定され、ゲーマーが便利に前記ジョイスティックモジュール１００を操作可能にする。
【００３１】
以上をまとめると、本考案は該当分野において優れた進歩性や実用性を有すると共に、本考案の出願前に国内外において、該当分野に関する資料や文献には同一の構造を有するものが存在しないため、実用新案法により出願する。
【００３２】
以上、本考案の実施形態について図面を参照して詳述したが、具体的な構成はこの実施形態に限られるものではなく、本考案の要旨を逸脱しない範囲の設計変更等も含まれる。
【符号の説明】
【００３３】
１００  ジョイスティックモジュール
１  台座
１１  上筐体
１１１  第一係止機構
１１２  孔部
１１３  ネジ柱
１２  下筐体
１２１  第二係止機構
１２２  係止孔
２  レバー
２ａ  操作部
２ｂ  ベース
２１  握り部
２２  第一感知部
２３  第二感知部
２３１  磁性体
２３２  磁性台
２３３  固定部材
２４  孔部
２５  ガスケット
２６  Ｅ型止め輪
３  バネモジュール
３１  バネ
３２  バネカバー
３３  バネ受け
４  受台
４１  受台スライド部
４２  係合孔
４３  固定孔
５  転動架台
５１  支持部
５２  転動架台スライド部
６  作動モジュール
６１  マイクロスイッチ
６１１  位置決め孔
６２  受け部
６２１  位置決め柱
６２２  ネジ柱
６２３  固定柱
６３  第一回路基板
６３１  貫通孔
６３２  ネジ
７  磁界感知モジュール
７１  第二回路基板
７２  カバー
７２１  係止部
８  主回路モジュール
【図１】
0003220809.tif 000003
【図２】
0003220809.tif 000004
【図３】
0003220809.tif 000005
【図４】
0003220809.tif 000006
【図５】
0003220809.tif 000007